(57)【特許請求の範囲】
【請求項１】
光素子と、
前記光素子を収容する下筐体と、
前記下筐体を覆う板形の上筐体とを備え、
前記上筐体が前記下筐体に組み付けられている光モジュールであって、
前記下筐体は、
一枚の底壁と、
該底壁から立ち上がり互いに対向する第１の側壁および第２の側壁と、
前記底壁、前記第１の側壁及び前記第２の側壁に沿って延びる基準軸の一端側において、前記第１の側壁から前記第２の側壁へ架け渡され、前記底壁に対向する側の面に切り欠き部が形成された梁部と
を有し、
前記第１の側壁、前記第２の側壁はそれぞれ、前記底壁に沿って延び前記上筐体に当接する端面を有し、さらに、前記基準軸の他端側であって互いに相手側の側壁に向けて突出する第１の突起部、第２の突起部を有し、
前記上筐体は、
前記底壁に向けて張出した張出部と、
前記一端側の端部に設けられ、前記基準軸に沿って前記一端側に突出した爪部と、
前記他端側の端部に前記底壁に向けて窪んだ第１の凹部、第２の凹部と
をそれぞれ有し、
前記上筐体の前記爪部は前記梁部の前記切り欠き部に挿入されており、
前記第１の突起部、前記第２の突起部は、前記上筐体の前記第１の凹部、前記第２の凹部にそれぞれ上方から嵌め合わされており、
前記上筐体の前記張出部は前記第１の側壁、前記第２の側壁により挟まれ、
前記爪部と前記切り欠き部の嵌合構造、前記第１、第２の突起部と前記第１、第２の凹部の嵌合構造は前記上筐体の前記基準軸に沿った方向および前記底壁に垂直な方向の動きを規制し、前記張出部と前記第１、第２の側壁の挟持構造は前記基準軸に垂直で前記底壁に平行な方向の動きを規制する、
光モジュール。
【請求項２】
前記上筐体は、
前記第１の凹部に接続し前記第１の凹部から前記底壁に向かって前記第２の側壁側に傾斜している第１の壁部と、
前記第２の凹部に接続し前記第２の凹部から前記底壁に向かって前記第１の側壁側に傾斜している第２の壁部と
を有し、
前記第１、第２の突起部は、それぞれ前記底壁と反対側に曲面形状を成す表面領域を有する、請求項１に記載の光モジュール。
【請求項３】
前記上筐体が前記下筐体と嵌合された時、前記爪部は前記下筐体と前記上筐体との接触面に対して上方に向けて有意の角度を為している、請求項１に記載の光モジュール。
【発明の詳細な説明】
【技術分野】
【０００１】
本発明は、発光素子および受光素子等の光素子を有し、光通信装置（ホスト装置）に取り付けられる光モジュールに関するものである。
【背景技術】
【０００２】
特許文献１には、光電子デバイス用の回転可能な上筐体が示されている。上筐体はその一端に、凹曲面を持つ爪を有している。下筐体は、上筐体の爪の凹曲面に合う凸曲面を有している。上筐体は、下筐体の凸曲面に沿って、開いた位置と閉じた位置の間で回転する。上筐体は、さらに、上筐体を下筐体に対して固定するための手段を有している。固定するための手段としては、例えば、筐体の辺に沿った突起部、下筐体に設けられた突起を収容する穴などがある。
【先行技術文献】
【特許文献】
【０００３】
【特許文献１】米国特許出願公開第２００８／０２０３８６４号明細書
【発明の概要】
【発明が解決しようとする課題】
【０００４】
しかしながら、特許文献１においては、上筐体と下筐体とを固定する方法が曖昧にしか示されておらず、特に上筐体が下筐体から外れることを防ぐ方法が明らかでない。ダイカスト筐体を組み合わせて固定する方法としては、従来はネジ止め、あるいは別部品（例えば薄型板金プレス部品）を使う方法があった。しかし、このような方法では、部品コストと工数がかかる。また、このような方法には、組み立て時の検査など品質管理上の制約が存在する。
【０００５】
そこで、本発明は、このような問題点を解決するためになされたものであって、筐体の組み立てが容易な構造を有しており、組み立てられた筐体が外れたりがたついたりすることのない光モジュールを提供することを目的とする。
【課題を解決するための手段】
【０００６】
上記課題を解決するため、本発明に係る光モジュールは、光素子と、光素子を収容する下筐体と、下筐体を覆う板形の上筐体とを備え、上筐体が下筐体に組み付けられている光モジュールであって、下筐体は、一枚の底壁と、底壁から立ち上がり互いに対向する第１の側壁および第２の側壁と、第１の側壁から第２の側壁へ掛け渡される梁部とを有し、梁部は、下筐体において、底壁と第１の側壁および第２の側壁とに沿って延びている基準軸の方向の一端側に配置されており、梁部が有しており底壁に対向する側の面に切り欠き部が形成され、第１の側壁は、第１の突起部を有し、第１の突起部は、基準軸の他端側に設けられ、第２の側壁側に突出しており、第２の側壁は、第２の突起部を有し、第２の突起部は、基準軸の他端側に設けられ、第１の側壁側に突出しており、第１の突起部の表面は、曲面形状を成す第１の表面領域を有し、第２の突起部の表面は、曲面形状を成す第２の表面領域を有し、第１の表面領域は、第１の突起部において、底壁と逆の側に設けられ、第２の表面領域は、第２の突起部において、底壁と逆の側に設けられ、上筐体は、爪部と基準軸方向に延びる第１の辺および第２の辺とを有し、爪部は、上筐体の一端側の端部に設けられ、爪部は、上筐体の本体から、基準軸に沿って、一端側に突出しており、第１の辺の他端側の端部は、第２の辺側にくぼむ第１の凹部を有し、第２の辺の他端側の端部は、第１の辺側にくぼむ第２の凹部を有し、第１の辺は、第１の側壁上に位置し、第２の辺は、第２の側壁上に位置し、第１の側壁が有し底壁に沿って延びる端面は、上筐体に当接し、第２の側壁が有し底壁に沿って伸びる端面は、上筐体に当接し、切り欠き部は爪部に当接し、第１の突起部は第１の凹部に嵌め合わされ、第２の突起部は第２の凹部に嵌め合わされている、ことを特徴とする。
【０００７】
これによれば、突起部の表面のうち底壁と逆の側にある領域の形状は曲面形状であるため、上筐体を下筐体に組み付ける時に上筐体を下筐体に押し込むと、２つの突起部の間隔が押し広げられ、その後、突起部の間隔が元に戻るのと同時に突起部が凹部に入る。このため、上筐体を下筐体に組み付けるために、特にネジ止めをしたり別部品を使ったりする必要がなく、筐体の組み立てが容易となる。また、上筐体が下筐体に組み付けられた状態において、下筐体の第１、第２の側壁が有する底壁に沿って延びる端面は上筐体に当接し、切り欠き部は爪部に当接し、突起部は凹部に当接するため、組み立てられた筐体が外れたりがたついたりすることがなくなる。
【０００８】
また、上筐体は、第１の凹部に接続しており底壁側に延びている第１の壁部と、第２の凹部に接続しており底壁側に延びている第２の壁部とを有し、第１の壁部は、第１の凹部から底壁に向かうにつれて、第２の辺側に傾斜しており、第２の壁部は、第２の凹部から底壁に向かうにつれて、第１の辺側に傾斜していることが好ましい。これによれば、第１の凹部に接続する第１の壁部は底壁に向かうにつれて第２の辺側に傾斜しており、第２の凹部に接続する第２の壁部は底壁に向かうにつれて第１の辺側に傾斜しているため、組み立て時に上筐体を下筐体に押し込むときに、下筐体の第１の突起部と第２の突起部との間隔を、第１、第２の壁部の傾斜によって一層スムーズに広げることができる。したがって、上筐体を下筐体に組み付ける工程が一層容易になる。
【発明の効果】
【０００９】
本発明によれば、筐体の組み立てが容易な構造を有しており、組み立てられた筐体が外れたりがたついたりすることのない光モジュールが得られる。
【図面の簡単な説明】
【００１０】
【図１】本実施形態に係る光モジュールを示す図である。
【図２】図１の光モジュールを分解して示す上方斜視図である。
【図３】図１の光モジュールを分解して示す下方斜視図である。
【図４】図１の光モジュールの側面を一部破断して示す図である。
【図５】図１の光モジュールの組み立て過程を示す図である。
【図６】図１の光モジュールの組み立て過程を示す図である。
【図７】図１の光モジュールの組み立て過程を示す図である。
【図８】図１の光モジュールを長手方向に切断して示す断面図である。
【図９】図１の光モジュールの後方部を拡大して示す斜視図である。
【発明を実施するための形態】
【００１１】
以下、添付図面を参照して本発明の実施の形態を詳細に説明する。なお、図面の説明において同一の要素には同一の符号を付し、重複する説明を省略する。
【００１２】
図１は、本実施形態に係る光モジュールを示す図である。図２は、図１に示した光モジュールを分解して示す上方斜視図である。図３は、図１に示した光モジュールを分解して示す下方斜視図である。光モジュール１は、ホスト装置（不図示）に取り付けられ、光通信に用いられるモジュールである。図１に示されるように、光モジュール１は、本体部２およびシールド部材３を備えている。
【００１３】
図２および図３に示されるように、本体部２は、上筐体４と、下筐体５と、受光素子６（光素子）と、発光素子７（光素子）と、回路基板８と、基板ホルダ９と、放熱シート１１と、前方シールド部材１２と、アクチュエータ１３と、ベール１４と、を備えている。以下の説明において、光モジュール１の上下、前後、左右とは、上筐体４側を上、下筐体５側を下、受光素子６および発光素子７が配置されている側を前としたときの方位を意味するものとする。
【００１４】
上筐体４および下筐体５は、前後方向に長尺な筐体であって、その内部に受光素子６、発光素子７、回路基板８、基板ホルダ９および放熱シート１１を保持するための筐体である。上筐体４および下筐体５の材質は、例えば亜鉛などの金属である。上筐体４は、板形の筐体であって、下筐体５に組み付けられて下筐体５の上部を覆う蓋として機能する。また、下筐体５は、受光素子６と発光素子７とを収容する筐体であって、底壁および側壁として機能する。また、上筐体４および下筐体５は、本体部２の内部で生ずる電磁ノイズが本体部２の外部へ漏洩するのを遮蔽するための部材としても機能する。ここで、上筐体４と下筐体５との組み付け時にがたつきが生じた場合、上筐体４と下筐体５との間に隙間ができる。この上筐体４と下筐体５との間の隙間からは電磁ノイズが漏洩する。電磁ノイズが漏洩すると、光モジュール１の特性劣化につながる。そこで、上筐体４と下筐体５とはがたつきを生じないように組み付けられることが必要である。
【００１５】
受光素子６は、光モジュール１の外部から光ファイバを介して受信した光信号を電気信号に変換するための素子である。受光素子６と回路基板８とは、所定形状のコネクタによって互いに接続されている。受光素子６によって変換された電気信号は、コネクタを介して回路基板８に伝送される。
【００１６】
発光素子７は、回路基板８から受信した電気信号を光信号に変換し、変換した光信号を光ファイバを介して光モジュール１の外部へ送信する素子である。発光素子７は、遠方に光信号を伝送するために、比較的大電流で駆動される。このため、発光素子７は、動作時には大きな熱を発生する。発光素子７と回路基板８とは、所定形状のコネクタによって互いに接続されている。回路基板８からの電気信号は、コネクタを介して発光素子７に伝送される。なお、受光素子６および発光素子７は、下筐体５の前側（一端側（図中の符号Ｅ１側））に左右方向に並んで収容されている。
【００１７】
回路基板８は、本実施形態においては、上基板８Ａおよび下基板８Ｂの２枚のプリント基板から構成される。これらの上基板８Ａおよび下基板８Ｂには、複数の回路部品が実装されている。上基板８Ａおよび下基板８Ｂでは、受光素子６から受信した信号に対して所定の処理が行われ、この処理された信号が電気信号として光モジュール１の外部に伝送される。また、上基板８Ａおよび下基板８Ｂでは、光モジュール１の外部から伝送されてきた電気信号に対して所定の処理が行われ、この処理された信号が発光素子７に送信される。上基板８Ａと下基板８Ｂとは、フレキシブルケーブルにより互いに電気的に接続されている。
【００１８】
基板ホルダ９は、上基板８Ａと下基板８Ｂとを相互に固定するための部材である。基板ホルダ９は、上基板８Ａと下基板８Ｂとの間に配置される。なお、上基板８Ａおよび下基板８Ｂに搭載される回路部品を１枚のプリント基板にまとめることも可能である。この場合には基板ホルダ９は不要である。
【００１９】
放熱シート１１は、受光素子６、発光素子７および回路基板８が発する熱を上筐体４および下筐体５に逃がすためのシートである。放熱シート１１は、例えば発光素子７の上面および下面、下基板８Ｂの下面など、発熱量の大きい部品に接する場所に適宜設けられる。
【００２０】
ここで、図４を用いて、放熱シート１１についてより詳細に説明する。図４は、光モジュール１の側面を一部破断して示す図である。熱を上筐体４および下筐体５に効率良く逃がすために、放熱シート１１は、筐体（上筐体４および下筐体５）と部品（発光素子７）との両方に密着する必要がある。一方、筐体と部品との間隔は、製造公差によって個体ごとに異なる。具体的には、筐体と部品との間隔の設計寸法が１．０ｍｍ程度であるのに対し、製造公差により、この間隔が最大の個体と最小の個体との間で０．４ｍｍ程度の差が生じる。この製造公差に対応するため、放熱シート１１は、筐体と部品との間隔が最大となる個体においても筐体と部品とを密着させることができる程度の十分な厚さを有する。一方、放熱シート１１は、筐体と部品との間隔が最小となる個体においても、その間隔内に収まるように十分に圧縮され得る。すなわち、放熱シート１１は、その弾性によって、筐体と部品との間隔の製造公差を吸収する。したがって、放熱シート１１の材質としては、例えばシリコ−ンゴムなどの弾性体が用いられる。なお、放熱シート１１は、筐体と部品との間で圧縮されることによって、反発力を生じる。この反発力は上筐体４を上側の方向に押す力として作用する。
【００２１】
図２および図３に戻り、説明を続ける。前方シールド部材１２は、本体部２の内部で発生される電磁ノイズが外部に放射されるのを防ぐための部材である。アクチュエータ１３およびベール１４は、ケージ（不図示）への光モジュール１の係合時および脱着時に用いられる部材である。アクチュエータ１３およびベール１４は、下筐体５の前端に取り付けられる。アクチュエータ１３は、その後端側にケージとの係合に用いられる係合突起を有している。光モジュール１をケージへ挿入すると、この係合突起がケージの凹部に係止される。ベール１４は、左右方向を軸として回動可能に設けられている。光モジュール１をケージから取り外すときには、ベール１４を回動操作することにより、アクチュエータ１３に設けられた係合突起を動かして係止状態を解除する。係止状態が解除されると、光モジュール１をケージから取り外すことができる。
【００２２】
続いて、上述した上筐体４についてさらに詳細に説明する。図５の（ａ）部は、上筐体４および下筐体５を示す図である。上筐体４は、爪部４１と、基準軸ＡＸ１方向に延びる第１の辺４４−１および第２の辺４４−２とを有している。なお、基準軸ＡＸ１は、底壁５３、第１の側壁５４−１および第２の側壁５４−２に沿って延びている。
【００２３】
爪部４１は、上筐体４の基準軸ＡＸ１方向の一端側の端部に設けられている。ここで、基準軸ＡＸ１方向の一端側とは、前側（図中の符号Ｅ１側）をいう。爪部４１は、上筐体４の本体から、基準軸ＡＸ１に沿って、一端側に突出している。本実施形態では爪部４１の個数は２個としている。しかし、爪部４１は、少なくとも１個あればよい。爪部４１の形状は、前端に向かうにつれて、やや上に上がるように形成される。また、爪部４１は、上筐体４から前側に突出して先端に達するまでの間の途中部分の厚さを、他の部分よりも薄くされている。
【００２４】
第１の凹部４２−１は、第１の辺４４−１の基準軸ＡＸ１方向の他端側（図中の符号Ｅ２側）、つまり後側の端部に形成される。第２の凹部４２−２は、第２の辺４４−２の基準軸ＡＸ１方向の他端側、つまり後側の端部に形成される。第１の凹部４２−１の大きさは、第１の突起部５２−１を収容できる程度の大きさである。第２の凹部４２−２の大きさは、第２の突起部５２−２を収容できる程度の大きさである。
【００２５】
上筐体４の後側をより詳細に説明する（さらに図９を参照）。上筐体４は、第１の壁部４３−１と第２の壁部４３−２とを有している。第１の壁部４３−１は、第１の凹部４２−１に接続しており、底壁５３側に延びている。第１の壁部４３−１は、第１の凹部４２−１から底壁５３に向かうにつれて、第２の辺４４−２側に傾斜している。第２の壁部４３−２は、第２の凹部４２−２に接続しており、底壁５３側に延びている。第２の壁部４３−２は、第２の凹部４２−２から底壁５３に向かうにつれて、第１の辺４４−１側に傾斜している。
【００２６】
第１の辺４４−１および第２の辺４４−２は、上筐体４において、基準軸ＡＸ１方向に延びる辺として設けられる。第１の辺４４−１の他端側、つまり後側の端部は第１の凹部４２−１を有しており、第２の辺４４−１の他端側の端部は、第２の凹部４２−２を有している。第１の辺４４−１は、第１の側壁５４−１上に位置し、第２の辺４４−２は、第２の側壁５４−２上に位置する。
【００２７】
張出部４５は、上筐体４の後側の端部において、下筐体５に対向する側の面から下筐体５に向けて張り出した部分である。張出部４５が下筐体５の第１の側壁５４−１と第２の側壁５４−２とによって挟み込まれることにより、上筐体４が下筐体５に対して左右方向に動くことが制限される。
【００２８】
続いて、上述した下筐体５についてさらに詳細に説明する。下筐体５は、一枚の底壁５３と、底壁５３から立ち上がり互いに対向する第１の側壁５４−１および第２の側壁５４−２と、第１の側壁５４−１から第２の側壁５４−２へ架け渡される梁部５５とを有している。梁部５５は、下筐体５において、基準軸ＡＸ１の方向の一端側に配置されている。この梁部５５が有しており底壁５３に対向する側の面、すなわち梁部５５の下側の面に切り欠き部５１が形成されている。切り欠き部５１の幅は、爪部４１の幅とほぼ等しくし、かつ、爪部４１が切り欠き部５１にはまり込むことが可能となるように定められる。また、切り欠き部５１は爪部４１に当接する。
【００２９】
第１の側壁５４−１は、第１の突起部５２−１を有している。第１の突起部５２−１は、基準軸ＡＸ１の他端側に設けられ、第２の側壁５４−２側に突出している。また、図９に示すように、第１の突起部５２−１の表面は、曲面形状を成す第１の表面領域５２ａ−１を有している。第１の表面領域５２ａ−１は、第１の突起部５２−１において、底壁５３と逆の側、つまり上側に設けられている。第１の突起部５２−１は第１の凹部４２−１に嵌め合わされる。
【００３０】
第２の側壁５４−２は、第２の突起部５２−２を有している。第２の突起部５２−２は、基準軸ＡＸ１の他端側に設けられ、第１の側壁５４−１側に突出している。また、図９に示すように、第２の突起部５２−２の表面は、曲面形状を成す第２の表面領域５２ａ−２を有している。第２の表面領域５２ａ−２は、第２の突起部５２−２において、底壁５３と逆の側、つまり上側に設けられている。第２の突起部５２−２は第２の凹部４２−２に嵌め合わされる。
【００３１】
下筐体５の第１の側壁５４−１および第２の側壁５４−２が有する底壁５３に沿って延びる端面５４ａは、上筐体４に当接する。
【００３２】
続いて、光モジュール１の組み立て方について説明する。図５、図６および図７は、光モジュール１の組み立て工程を示す図である。まず、図５の（ａ）部のように、下筐体５に受光素子６、発光素子７、回路基板８、基板ホルダ９と放熱シート１１とを収容し、また、下筐体５にアクチュエータ１３とベール１４とを組み付ける。次に、図５の（ｂ）部のように、爪部４１を切り欠き部５１に差し込む。次に、爪部４１と切り欠き部５１との当接する辺を軸として上筐体４を矢印Ｄ１の向きに回転させ、上筐体４を下筐体５側に近づける。
【００３３】
図６の（ａ）部は、上筐体４を下筐体５に近づけて、上筐体４の後端にある第１の壁部４３−１が第１の突起部５２−１に、第２の壁部４３−２が第２の突起部５２−２にそれぞれ接する直前の状態を示している。この状態からさらに上筐体４を下筐体５に近づけて、第１の壁部４３−１が第１の突起部５２−１に、第２の壁部４３−２が第２の突起部５２−２にそれぞれ接した後、上筐体４を矢印Ｄ２の向きに押して、下筐体５側へ押し込む。すると、第１の突起部５２−１の上側の第１の表面領域５２ａ−１と第２の突起部５２−２の上側の第２の表面領域５２ａ−２とが曲面形状を有していること、および、第１の壁部４３−１が底壁に向かうにつれて第２の辺４４−２側に傾斜しており、第２の壁部４３−２が底壁に向かうにつれて第１の辺４４−１側に傾斜していることから、下筐体５の後端部には、第１の壁部４３−１が第１の突起部５２−１を左へ、第２の壁部４３−２が第２の突起部５２−２を右に押すことによって、下筐体５には、第１の突起部５２−１と第２の突起部５２−２との間隔を押し広げようとする力Ｆ１が働く。
【００３４】
図６の（ｂ）部は、上筐体４を下筐体５に押し込み終えた後の状態を示している。上筐体４を下筐体５に押し込み終えると、下筐体５の後端部に、下筐体５の持つ弾性によって復元力Ｆ２が働き、第１の突起部５２−１と第２の突起部５２−２との間隔はほぼ元に戻る。このとき、第１の突起部５２−１は第１の凹部４２−１に収容され、第２の突起部５２−２は第２の凹部４２−２に収容される。ここまでで上筐体４と下筐体５の組み付けが終了する。この状態において、第１の側壁５４−１が有し底壁５３に沿って延びる第１の端面５４ａ−１は、上筐体４に当接し、第２の側壁５４−２が有し底壁５３に沿って延びる第２の端面５４ａ−２は、上筐体４に当接する。また、切り欠き部５１は爪部４１に当接し、第１の突起部５２−１は第１の凹部４２−１に嵌め合わされ、第２の突起部５２−２は第２の凹部４２−２に嵌め合わされる。
【００３５】
次に、図７の（ａ）部のように、本体部２の後方からシールド部材３を本体部２に嵌め合わせる。シールド部材３と本体部２とは、シールド部材３に設けられた穴と本体部２に設けられた突起などにより、所定の位置に位置決めされる。このようにして、図７の（ｂ）部のように光モジュール１が完成する。
【００３６】
続いて、光モジュール１の作用効果について説明する。光モジュール１の組み立ては、下筐体５に受光素子６、発光素子７、回路基板８、基板ホルダ９および放熱シート１１を収容し、また、下筐体５にアクチュエータ１３とベール１４とを組み付け、爪部４１を切り欠き部５１に差し込み、爪部４１と切り欠き部５１との当接する辺を軸として上筐体４を回転させ、上筐体４を下筐体５側に近づけ、上筐体４を下筐体５側へ上から押し込むという工程によってなされる。したがって、上筐体４を下筐体５に組み付けるために、特にネジ止めをしたり別部品を使ったりする必要がなく、筐体の組み立てが容易である。さらに、第１の壁部４３−１は、底壁に向かうにつれて第２の辺４４−２側に傾斜しており、第２の壁部４３−２は、底壁に向かうにつれて第１の辺４４−１側に傾斜している。したがって、組み立て時に上筐体４を下筐体５に押し込むときに、下筐体５の第１の突起部５２−１が第１の壁部４３−１に当たるとともに第２の突起部５２−２が第２の壁部４３−２に当たることにより、下筐体５の第１の突起部５２−１と第２の突起部５２−２の間隔をよりスムーズに広げることができるので、上筐体４を下筐体５に組み付ける工程が一層容易になる。
【００３７】
図８の（ａ）部は、図５の（ｂ）部をＩ−Ｉ線に沿って切断して示す断面図であり、爪部４１を切り欠き部５１に差し込んだ状態を示す図である。図８の（ｂ）部は、図６の（ａ）部をＩＩ−ＩＩ線に沿って切断して示す断面図であり、爪部４１と切り欠き部５１との当接する辺を軸に上筐体４を回転させて、上筐体４を下筐体５に近づけた状態を示す図である。図８の（ｃ）部は、図８の（ｂ）部のうち、破線によって囲まれた領域Ａを拡大して示す図である。爪部４１の先端はやや上に向いており、その上端が梁部５５の下面と接している。したがって、上筐体４が下筐体５に組み付けられた状態においては、梁部５５は爪部４１に対して下向きの力をかける。また、第１の突起部５２−１は第１の凹部４２−１に対して下向きの力をかけ、第２の突起部５２−２は第２の凹部４２−２に対して下向きの力をかける。したがって、上筐体４は、前部の爪部４１と後部の第１の凹部４２−１および第２の凹部４２−２とのそれぞれの箇所において、下筐体５から下向きの力を受ける。また、上筐体４は、下筐体５の第１の側壁５４−１の上側の端面５４ａ−１および第２の側壁５４−２の上端の端面５４ａ−２によって上向きの力を受ける。さらに、上筐体４は、発光素子７や回路基板８の上面にある放熱シート１１によって上向きの力を受ける。したがって、上筐体４は、上向きの力と下向きの力との両方を受けており、図９に矢印Ｄ３で示す上下方向にがたつくことがない。なお、爪部４１は、上筐体４から前側に突出して先端に達するまでの間の途中部分の厚さを、他の部分よりも薄くされているため、爪部４１が梁部５５から下向きの力を受けても、下向きの力を、爪部４１内のうち、厚さを薄くされている部分で吸収できる。このため、下向きの力が上筐体４全体を変形させてしまうことが避けられる。
【００３８】
さらに、第１の突起部５２−１が第１の凹部４２−１に、第２の突起部５２−２が第２の凹部４２−２にそれぞれ嵌め合わされ、第１の凹部４２−１が第１の突起部５２−１によって、第２の凹部４２−２が第２の突起部５２−２によって、それぞれ前後方向に動くことを制限されるため、上筐体４が図９に矢印Ｄ４で示す前後方向にがたつくこともない。そして、上筐体４の下面から下方へ張り出した張出部４５が、下筐体５の側壁５４によって挟み込まれるため、図９に矢印Ｄ５で示す左右方向への動きも制限される。以上のようにして、下筐体５に組み付けられた上筐体４は、外れたりがたついたりすることがなくなる。
【００３９】
好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【００４０】
１…光モジュール、２…本体部、３…シールド部材、４…上筐体、５…下筐体、６…受光素子（光素子）、７…発光素子（光素子）、８…回路基板、９…基板ホルダ、１１…放熱シート、１２…前方シールド部材、１３…アクチュエータ、１４…ベール、４１…爪部、４２−１…第１の凹部、４２−２…第２の凹部、４３−１…第１の壁部、４３−２…第２の壁部、４４−１…第１の辺、４４−２…第２の辺、５１…切り欠き部、５２−１…第１の突起部、５２−２…第２の突起部、５３…底壁、５４−１…第１の側壁、５４−２…第２の側壁、５５…梁部。
【図１】
0005776407.tif 000002
【図２】
0005776407.tif 000003
【図３】
0005776407.tif 000004
【図４】
0005776407.tif 000005
【図５】
0005776407.tif 000006
【図６】
0005776407.tif 000007
【図７】
0005776407.tif 000008
【図８】
0005776407.tif 000009
【図９】
0005776407.tif 000010